(57)【要約】【課題】容易に発光素子の向きが変えられる発光素子の取付け構造を提供する。【解決手段】回路主基板１０に形成された開口部１１に対して、立ち基板１の挿通部３が挿通されている。開口部１１はＬＥＤ２１の近傍に形成されており、ＬＥＤ２１のリード端子２２は立ち基板１に沿って立ち上げられている。ＬＥＤ２１のリード端子２２を立ち基板１の側に屈曲させることによって、リード端子２２が立ち基板１の上端面に形成された所定ののこぎり歯状の凹凸部２の凹部に受け入れられて、ＬＥＤ２１が立ち基板１に保持される。【選択図】        図５
2005026562.tif 000002
【特許請求の範囲】
【請求項１】
所定の開口部が形成された回路主基板と、
前記回路主基板を含む基板のうちレイアウト上使用されない領域から取出され、前記回路主基板の前記開口部に挿通することにより、前記回路主基板に対して略垂直に取付けられた立ち基板と、
リード端子を有し、前記リード端子を前記立ち基板に沿うようにして前記回路主基板から立ち上げることにより前記回路主基板に取付けられた発光素子と
を有し、
前記立ち基板は、
前記開口部に挿通する挿通部と、
前記挿通部から離れるにしたがって幅が広がるように形成されたテーパ部と、
前記挿通部が位置する側とは反対側に位置する前記テーパ部の部分の上端面に形成され、前記立ち基板の側に屈曲された前記発光素子の前記リード端子を受け入れるのこぎり歯状の凹凸部と
を備え、
前記のこぎり歯状の凹凸部は、前記立ち基板面に対して略直交するように屈曲された前記発光素子の前記リード端子を受け入れる部分から、前記上端面の長手方向の端に向かってピッチが広がるように形成された、発光素子の取付け構造。
【請求項２】
回路主基板と、
前記回路主基板に対して略垂直に取付けられた立ち基板と、
リード端子を有し、前記リード端子を前記立ち基板に沿うようにして前記回路主基板から立ち上げることにより前記回路主基板に取付けられた発光素子と
を有し、
前記立ち基板は、所定の幅を有する上端面に形成され、前記立ち基板の側に屈曲された前記発光素子の前記リード端子を受け入れるのこぎり歯状の凹凸部を備えた、発光素子の取付け構造。
【請求項３】
前記凹凸部は、前記上端面において前記立ち基板面に対して略直交するように屈曲された前記発光素子の前記リード端子を受け入れる部分から、前記上端面の長手方向の端に向かってピッチが広がるように形成された、請求項２記載の発光素子の取付け構造。
【請求項４】
前記回路主基板に設けられた開口部と、
前記立ち基板に設けられ、前記開口部に挿通される挿通部と、
前記立ち基板に設けられ、前記挿通部が過度に前記開口部に挿通されるのを阻止する挿通阻止部と
を備えた、請求項２または３に記載の発光素子の取付け構造。
【請求項５】
前記挿通阻止部はテーパ部および段部のいずれかである、請求項４記載の発光素子の取付け構造。
【請求項６】
前記立ち基板は、前記回路主基板を含む基板のうちレイアウト上使用されない領域から取出された、請求項２〜５のいずれかに記載の発光素子の取付け構造。
【発明の詳細な説明】
【０００１】
【発明の属する技術分野】
本発明は発光素子の取付け構造に関し、特に、発光素子の位置合わせが容易に行なわれる発光素子の取付け構造に関するものである。
【０００２】
【従来の技術】
ビデオデッキやＤＶＤ（Ｄｉｇｉｔａｌ  Ｖｅｒｓａｔｉｌｅ  Ｄｉｓｋ）プレーヤー等の電化製品においては、表示部分を発光させるために、発光素子の一つとしてたとえばＬＥＤ（Ｌｉｇｈｔ  Ｅｍｉｔｔｉｎｇ  Ｄｉｏｄｅ）が用いられている。
【０００３】
ＬＥＤは、主基板に対してほぼ垂直に立てるようにして取付けられる基板（以下、「立ち基板」と記す。）に保持される場合がある。そのような立ち基板によりＬＥＤを保持する方法の一つが、特許文献１に開示されている。
【０００４】
特許文献１に開示された方法では、図９および図１０に示すように、まず、立ち基板１０４の上部に、ＬＥＤを嵌着するための嵌着凹部１０４ａが複数設けられている。その嵌着凹部４ａの両側には１対の係止部１０４ｂ，１０４ｂが設けられている。
【０００５】
また、立ち基板１０４の下部には、係止突部１０４ｃと切込み１０４ｆとを有する１対の嵌合突片１０４ｄ，１０４ｄが設けられている。さらに、立ち基板１０４の中央には位置決め用突部１０４ｅが設けられている。
【０００６】
一方、主基板１０２には、嵌合孔１０２ａ，１０２ａ，１０２ｃおよびリード線孔１０２ｂ，１０２ｂが設けられている。ＬＥＤ１０３は、１対のリード線１０３ｂ，１０３ｂと段部１０３ｃとを有している。
【０００７】
立ち基板１０４の位置決め用突部１０４ｅが主基板１０２の嵌合孔１０２に嵌合されているとともに、嵌合突片１０４ｄ，１０４ｄが嵌合孔１０２ａ，１０２ａに嵌合されている。
【０００８】
ＬＥＤ１０３は、立ち基板１０４を挟持するように１対のリード線１０３ｂ，１０３ｂがリード線孔１０２ｂ，１０２ｂに挿入されている。ＬＥＤ１０３の段部１０３ｃが係止突部１０４ｂ，１０４ｂに係止されるようにして、ＬＥＤ１０３が嵌着凹部１０４ａに嵌着固定されている。
【０００９】
【特許文献１】
実開昭６０−３０５５７号公報
【００１０】
【発明が解決しようとする課題】
しかしながら、上述したＬＥＤの従来の取付け構造では、以下のような問題点があった。
【００１１】
ビデオデッキ等のデザイン上の変更に伴って、表示部分のレイアウトに変更が生じる場合がある。表示部分の位置が変わってしまうと、ＬＥＤの向きとの関係で、結果的にＬＥＤの光を導くことができなくなる場合がある。
【００１２】
ところが、上述したＬＥＤの取付け構造では、ＬＥＤ１０３が嵌着凹部１０４ａに嵌着固定されているため、ＬＥＤの向きを変えようとすると、立ち基板１０４ごと取り換えなければならない場合があった。そのため、新たな立ち基板が必要になることがあった。
【００１３】
本発明は上記問題点を解決するためになされたものであり、その目的は容易に発光素子の向きが変えられる発光素子の取付け構造を提供することである。
【００１４】
【課題を解決するための手段】
本発明に係る発光素子の取付け構造は、回路主基板と立ち基板と発光素子とを有する。回路主基板には所定の開口部が形成されている。立ち基板は回路主基板を含む基板のうちレイアウト上使用されない領域から取出され、回路主基板の開口部に挿通することにより、回路主基板に対して略垂直に取付けられている。発光素子はリード端子を有し、リード端子を立ち基板に沿うようにして回路主基板から立ち上げることにより回路主基板に取付けられている。その立ち基板は挿通部とテーパ部とのこぎり歯状の凹凸部とを備えている。挿通部は開口部に挿通される。テーパ部は挿通部から離れるにしたがって幅が広がるように形成されている。のこぎり歯状の凹凸部は、挿通部が位置する側とは反対側に位置するテーパ部の部分の上端面に形成され、立ち基板の側に屈曲された発光素子のリード端子を受け入れる。そののこぎり歯状の凹凸部は、立ち基板面に対して略直交するように屈曲された発光素子のリード端子を受け入れる部分から、上端面の長手方向の端に向かってピッチが広がるように形成されている。
【００１５】
この構造によれば、発光素子は、リード端子が立ち基板の側に向かって屈曲されてのこぎり歯状の凹凸部における凹部に受け入れられる。これにより、発光素子は所定の方向に向かって立ち基板に保持される。また、のこぎり歯状の凹凸部のピッチが上端面の所定の位置から長手方向の端に向かって広がるように形成されていることで、たとえばデザイン上の変更に伴って発光素子の向きを変える必要がある場合にも、リード端子をのこぎり歯状の凹凸部に容易に受け入れることができる。しかも、凹凸部がのこぎり歯状であることで、リード端子を凹凸部の凸と凸（山と山）との間に容易に位置合わせをすることができる。また、テーパ部を設けることによって、立ち基板の挿通部を回路主基板に設けられた開口部に挿通する際に、立ち基板がテーパ部によって挿通が阻止されることになる。これにより、必要以上に立ち基板が開口部に挿通されるのを防止して、のこぎり歯状の凹凸部が形成された上端面の高さ方向の位置合わせを容易に行なうことができる。さらに、立ち基板としては、回路主基板を含む基板のうちレイアウト上使用されない領域の部分を用いて作成される。これにより、資源の有効利用も図ることができる。
【００１６】
本発明に係る他の発光素子の取付け構造は、回路主基板と立ち基板と発光素子とを有している。立ち基板は回路主基板に対して略垂直に取付けられている。発光素子はリード端子を有し、そのリード端子を立ち基板に沿うようにして回路主基板から立ち上げることにより回路主基板に取付けられている。立ち基板は、所定の幅を有する上端面に形成され、立ち基板の側に屈曲された発光素子のリード端子を受け入れるのこぎり歯状の凹凸部を備えている。
【００１７】
この構造によれば、発光素子は、リード端子が立ち基板の側に向かって屈曲されてのこぎり歯状の凹凸部における凹部に受け入れられる。これにより、発光素子を所定の方向に向かって立ち基板に保持することができる。
【００１８】
また、リード端子を受け入れるために、のこぎり歯状の凹凸部は、立ち基板面に対して略直交するように屈曲された発光素子のリード端子を受け入れる部分から、上端面の長手方向の端に向かってピッチが広がるように形成されていることが好ましい。
【００１９】
これにより、たとえばデザイン上の変更に伴って発光素子の向きを変える必要がある場合にも、リード端子をのこぎり歯状の凹凸部に容易に受け入れることができる。しかも、凹凸部がのこぎり歯状であることで、リード端子を凹凸部の凸と凸（山と山）との間に容易に位置合わせをすることができる。
【００２０】
さらに、回路主基板に設けられた開口部と、立ち基板に設けられ開口部に挿通される挿通部と、立ち基板に設けられ、挿通部が過度に開口部に挿通されるのを阻止する挿通阻止部とを備えていることが好ましい。
【００２１】
これにより、立ち基板を回路主基板に設けられた開口部に挿通する際に、立ち基板が挿通阻止部によって挿通が阻止されることになる。その結果、必要以上に立ち基板が開口部に挿通されるのを防止して、のこぎり歯状の凹凸部が形成された上端面の高さ方向の位置合わせを容易に行なうことができる。
【００２２】
具体的に、そのような挿通阻止部はテーパ部および段部のいずれかであることが好ましい。
【００２３】
また、立ち基板は、回路主基板を含む基板のうちレイアウト上使用されない領域から取出されることが好ましい。
【００２４】
これにより、資源の有効利用も図ることができる。
【００２５】
【発明の実施の形態】
本発明の実施の形態に係る発光素子の取付け構造について説明する。まず、図１に示すように、後述するＬＥＤが取付けられる回路主基板１０には所定の開口部１１が形成されている。
【００２６】
一方、図２に示すように、立ち基板１には、回路主基板１０に形成された開口部１１に挿通される挿通部３が形成されている。また、その挿通部３から離れるにしたがって幅が広がるようにテーパ部４が形成されている。
【００２７】
さらに、挿通部３が位置する側とは反対側に位置するテーパ部４の部分の上端面には、所定ののこぎり歯状の凹凸部２が形成されている。なお、立ち基板１は、たとえば図３に示すように、回路主基板を含む回路基板５のうち、レイアウト上使用されない領域５ａの部分を利用することが好ましい。
【００２８】
次に、ＬＥＤの取付け手順について説明する。まず、図１に示された回路主基板１０に形成された開口部１１に対して、図４に示すように、立ち基板１の挿通部３を挿通する。
【００２９】
なお、開口部１１はＬＥＤ（図示せず）の近傍に形成されており、立ち基板１が取付けられた状態では、ＬＥＤのリード端子は立ち基板１に沿って回路主基板１０からほぼ垂直に立ち上げられた状態にある。
【００３０】
次に、図５に示すように、そのように立ち基板１の近傍に位置するＬＥＤ２１のリード端子２２を立ち基板１の側に屈曲させることによって、リード端子２２がのこぎり歯状の凹凸部２の凹部に受け入れられる。このようにしてＬＥＤ２１が立ち基板１に保持されることになる。
【００３１】
上述したＬＥＤ２１の取付け構造によれば、立ち基板１の上端面に設けられたのこぎり歯状の凹凸部２の凹部にＬＥＤ２１のリード端子２２が受け入れられることによって、リード端子２２の位置合わせが容易に行なわれる。
【００３２】
しかも、図５に示すように、のこぎり歯状の凹凸部２においては、ピッチは一定ではなく端に向かってピッチが広げられている。これにより、たとえばデザイン上の変更が生じた場合にＬＥＤ２１の向きを変える必要がある場合にも、ＬＥＤ２１の位置合わせを容易に行なうことができる。このことについて説明する。
【００３３】
上述したように、のこぎり歯状の凹凸部２のピッチは一定ではなく端に向かってピッチが広げられている。図６に示すように、まず、ＬＥＤ２１ａのように、回路主基板からほぼ垂直に立ち上げられたリード端子が立ち基板１の面に対して略直交するように屈曲されて、その屈曲したリード端子２２ａを受け入れる凹凸部２においては、ピッチは、隣合うリード端子２２ａ間の距離に対応したピッチＰ１に設定されている。
【００３４】
なお、ここで、ピッチとは凹凸部２における隣合う山２ａと山２ａまたは谷２ｂと谷２ｂとの距離をいう。
【００３５】
一方、ＬＥＤ２１ｂのように、ＬＥＤの向きを変える場合には、回路主基板からほぼ垂直に立ち上げられたリード端子は、立ち基板１の面に対して所定の交差角度θをもって屈曲されることになる。
【００３６】
この場合には、図６に示すように、その屈曲されたリード端子２２ｂを受け入れられるように、のこぎり歯状の凹凸部２のピッチは隣合うリード端子２２ｂ間を所定の交差角度θにて横切る距離に対応したピッチＰ２に設定される。
【００３７】
このため、交差角度θが大きくなると、ピッチＰ２もこれに対応して大きく設定されることになる。
【００３８】
このようにして、のこぎり歯状の凹凸部２のピッチは、立ち基板１の面に対して略直交するように屈曲されたＬＥＤ２１のリード端子２２を受け入れる部分から、上端面の長手方向（幅方向）の端に向かってピッチが広がるように形成されている。
【００３９】
これにより、図７に示すように、ＬＥＤ２１の向きを変える必要がある場合にも、屈曲されたＬＥＤ２１のリード端子２２ｂを容易に受け入れることができる。しかも、凹凸部２がのこぎり歯状であることで、リード端子を凹凸部２の凸と凸（山と山）との間に容易に位置合わせをすることができる。
【００４０】
このように、上述したＬＥＤの取り付け構造では、たとえばデザイン上の変更に伴ってＬＥＤ２１の向きを変える必要がある場合にも、ＬＥＤ２１を保持する立ち基板１の上端面には、リード端子２２と立ち基板１の面との交差角度に対応したピッチをもったのこぎり歯状の凹凸部２が形成されている。
【００４１】
その結果、リード端子２２をのこぎり歯状の凹凸部２に容易に受け入れることができ、しかも、リード端子２２を凹凸部２の凸と凸（山と山）との間に容易に位置合わせをすることができる。
【００４２】
なお、上述したＬＥＤの取付け構造に用いられる立ち基板１として、図２に示すように、挿通部３に対して上方に向かって広がるテーパ部４を設けたものを例に挙げて説明した。
【００４３】
このようなテーパ部４を設けることによって、立ち基板１の挿通部３を回路主基板１０に設けられた開口部１１に挿通する際に、立ち基板１がテーパ部４によって挿通が阻止されることになる。
【００４４】
これにより、必要以上に立ち基板１が開口部１１に挿通されるのを防止して、のこぎり歯状の凹凸部２が形成された上端面の高さ方向の位置合わせを容易に行なうことができる。
【００４５】
また、立ち基板１として上方に向かって広がるテーパ部４を設けることによって、回路主基板１０において立ち基板１が取付けられる部分の領域が最小限に抑えられることになる。
【００４６】
これにより、回路主基板１０に他の部品を搭載する際に、立ち基板１と部品との干渉を防止することができる。
【００４７】
このような立ち基板として、上述したテーパ部４を有する立ち基板１の他に、たとえば、図８に示すように、挿入部３と段部６を有するＴ字型の立ち基板１を用いてもよい。
【００４８】
このようなＴ字型の立ち基板１においても、段部６によって立ち基板１が開口部１１に挿通されるのを防止して、のこぎり歯状の凹凸部２が形成された上端面の高さ方向の位置合わせを容易に行なうことができる。
【００４９】
また、回路主基板において立ち基板１が取付けられる部分の領域が最小限に抑えられて、回路主基板に搭載される部品と立ち基板１との干渉を防止することができる。
【００５０】
さらに、上述したように、立ち基板１としては、図３に示されるように、回路主基板を含む回路基板５のうちレイアウト上使用されない領域５ａの部分を用いて作成される。これにより、資源の有効利用を図ることができる。
【００５１】
このようなＬＥＤの取付け構造は、たとえばビデオデッキやＤＶＤプレーヤをはじめ、ハードディスクレコーダやテレビ等へも適用することができる。
【００５２】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００５３】
【発明の効果】
本発明に係る発光素子の取付け構造によれば、発光素子は、リード端子が立ち基板の側に向かって屈曲されてのこぎり歯状の凹凸部における凹部に受け入れられる。これにより、発光素子は所定の方向に向かって立ち基板に保持される。また、のこぎり歯状の凹凸部のピッチが上端面の所定の位置から長手方向の端に向かって広がるように形成されていることで、たとえばデザイン上の変更に伴って発光素子の向きを変える必要がある場合にも、リード端子をのこぎり歯状の凹凸部に容易に受け入れることができる。しかも、凹凸部がのこぎり歯状であることで、リード端子を凹凸部の凸と凸（山と山）との間に容易に位置合わせをすることができる。また、テーパ部を設けることによって、立ち基板の挿通部を回路主基板に設けられた開口部に挿通する際に、立ち基板がテーパ部によって挿通が阻止されることになる。これにより、必要以上に立ち基板が開口部に挿通されるのを防止して、のこぎり歯状の凹凸部が形成された上端面の高さ方向の位置合わせを容易に行なうことができる。さらに、立ち基板としては、回路主基板を含む基板のうちレイアウト上使用されない領域の部分を用いて作成される。これにより、資源の有効利用も図ることができる。
【００５４】
本発明に係る他の発光素子の取付け構造によれば、発光素子は、リード端子が立ち基板の側に向かって屈曲されてのこぎり歯状の凹凸部における凹部に受け入れられる。これにより、発光素子を所定の方向に向かって立ち基板に保持することができる。
【００５５】
また、リード端子を受け入れるために、のこぎり歯状の凹凸部は、立ち基板面に対して略直交するように屈曲された発光素子のリード端子を受け入れる部分から、上端面の長手方向の端に向かってピッチが広がるように形成されていることが好ましく、これにより、たとえばデザイン上の変更に伴って発光素子の向きを変える必要がある場合にも、リード端子をのこぎり歯状の凹凸部に容易に受け入れることができる。しかも、凹凸部がのこぎり歯状であることで、リード端子を凹凸部の凸と凸（山と山）との間に容易に位置合わせをすることができる。
【００５６】
さらに、回路主基板に設けられた開口部と、立ち基板に設けられ開口部に挿通される挿通部と、立ち基板に設けられ、挿通部が過度に開口部に挿通されるのを阻止する挿通阻止部とを備えていることが好ましく、これにより、立ち基板を回路主基板に設けられた開口部に挿通する際に、立ち基板が挿通阻止部によって挿通が阻止されることになる。その結果、必要以上に立ち基板が開口部に挿通されるのを防止して、のこぎり歯状の凹凸部が形成された上端面の高さ方向の位置合わせを容易に行なうことができる。
【００５７】
具体的に、そのような挿通阻止部はテーパ部および段部のいずれかであることが好ましい。
【００５８】
また、立ち基板は、回路主基板を含む基板のうちレイアウト上使用されない領域から取出されることが好ましいく、これにより、資源の有効利用も図ることができる。
【図面の簡単な説明】
【図１】本発明の実施の形態に係る発光素子の取付け構造における回路主基板の部分斜視図である。
【図２】同実施の形態において、立ち基板の斜視図である。
【図３】同実施の形態において、立ち基板を含む回路主基板のレイアウトを示す図である。
【図４】同実施の形態において、立ち基板を回路主基板に取付けた状態を示す斜視図である。
【図５】同実施の形態において、回路主基板に取付けた立ち基板にＬＥＤが保持された第１の状態を示す斜視図である。
【図６】同実施の形態において、立ち基板に設けた凹凸部とＬＥＤのリード端子との関係を示す部分拡大斜視図である。
【図７】同実施の形態において、回路主基板に取付けた立ち基板にＬＥＤが保持された第２の状態を示す斜視図である。
【図８】同実施の形態において、立ち基板の変形例を示す斜視図である。
【図９】従来のＬＥＤの取付け構造を示す正面図である。
【図１０】従来のＬＥＤの取付け構造を示す側面図である。
【符号の説明】
１  立ち基板、２  凹凸部、２ａ  山、２ｂ  谷、３  挿通部、４  テーパ部、５  回路基板、５ａ  領域、６  段部、１０  回路主基板、１１  開口部、２１，２１ａ，２１ｂ  ＬＥＤ、２２，２２ａ，２２ｂ  リード端子。
【図１】
2005026562.tif 000003
【図２】
2005026562.tif 000004
【図３】
2005026562.tif 000005
【図４】
2005026562.tif 000006
【図５】
2005026562.tif 000007
【図６】
2005026562.tif 000008
【図７】
2005026562.tif 000009
【図８】
2005026562.tif 000010
【図９】
2005026562.tif 000011
【図１０】
2005026562.tif 000012